(57)【要約】【課題】ハンドルと弁箱との間が短いショートネックのヨーク式弁のヨークやグランド押さえを補強でき、しかも弁の開閉操作を円滑に行える弁補強器具を提供することである。【解決手段】ハンドル１７と弁箱１３との間が短いショートネックのヨーク式弁１１の弁箱１３に蓋１４を取り付けるためのボルトにピラーボルト２４を締結し、グランド押さえ２０を保持するグランド押さえ保持部２６をピラーボルト２４に取り付ける。グランド押さえ保持部２６のピラーボルト２４への取り付けは、ピラーボルト２４間をグランド押さえフランジ３１で橋絡し、グランド押さえ保持部２６をグランド押さえフランジ３１で押圧してピラーボルト２４にナット３２で固定する。ピラーボルト２４には、ヨーク２３に取り付けられたスリーブ２５を把持するアダプタ部３０を挟持するベース部２７がナット３６で固定される。【選択図】  図１
2010019336.tif 000002
【特許請求の範囲】
【請求項１】
弁体を収納した弁箱から突出した弁棒のシール性を保つためのグランドパッキンを押さえるグランド押さえを通して、突出した弁棒の雄ねじとヨークに取り付けられたスリーブの雌ねじとが螺合して前記弁棒を保持し、前記ヨークを挟んで前記弁体と反対側のハンドルで前記スリーブを回動させて前記弁棒を操作するヨーク式弁に設けられ、
前記弁箱に蓋を取り付けるためのボルトに締結されたピラーボルトと、
前記グランド押さえの上部に設けられ前記グランド押さえを保持するグランド押さえ保持部と、
前記ピラーボルト間を橋絡し前記グランド押さえ保持部を押圧して前記ピラーボルトにナットで固定されるグランド押さえフランジと、
前記ヨークに取り付けられたスリーブを把持するアダプタ部と、
前記アダプタ部を挟持し前記ピラーボルトにナットで固定されるベース部と、
を備えたことを特徴とする弁補強器具。
【請求項２】
弁体を収納した弁箱から突出した弁棒のシール性を保つためのグランドパッキンを押さえるグランド押さえを通して、突出した弁棒の雄ねじとヨークに取り付けられたスリーブの雌ねじとが螺合して前記弁棒を保持し、前記ヨークを挟んで前記弁体と反対側のハンドルで前記スリーブを回動させて前記弁棒を操作するヨーク式弁に設けられ、
前記弁箱に蓋を取り付けるためのボルトに締結されたピラーボルトと、
前記グランド押さえの上部に設けられ前記グランド押さえを保持するグランド押さえ保持部と、
前記ピラーボルト間を橋絡し前記グランド押さえ保持部を押圧して前記ピラーボルトにナットで固定されるグランド押さえフランジと、
前記ヨークに取り付けられたスリーブを把持するアダプタ部と、
前記アダプタ部を挟持し前記ピラーボルトにナットで固定されるベース部と、
前記アダプタ部に連結され前記ハンドルまでの操作軸を延長するための延長軸と、
を備えたことを特徴とする弁補強器具。  
【発明の詳細な説明】
【技術分野】
【０００１】
本発明は、ヨーク式弁のヨークやグランド押さえを補強する弁補強器具に関する。
【背景技術】
【０００２】
通常、液体や高圧ガスなどの流体を流す配管には弁が設けられ、弁の開閉により、流体の供給先を変更したり流体の供給を停止したりしている。例えば、ＬＮＧ設備においては、ＬＮＧ（液化天然ガス）を貯蔵するＬＮＧ貯槽から複数系統の配管を通してＬＮＧ消費施設にＬＮＧを供給するように構成されている。
【０００３】
ＬＮＧ設備に使用されるヨーク式弁には、弁棒を操作するハンドルと弁体を収納した弁箱との間が長いロングネックのヨーク式弁と、ハンドルと弁箱との間が短いショートネックのヨーク式弁とがある。ロングネックのヨーク式弁は低温用であり、ショートネックのヨーク式弁は常温用である。
【０００４】
図１０はショートネックのヨーク式弁の一例の正面図、図１１は図１０のＡ−Ａ線での断面図である。ショートネックのヨーク式弁１１は、弁体１２が収納される弁箱１３から蓋１４及びパッキン箱１５を介して弁棒１６が引き出され、弁棒１６の一方端には弁体１２が接続され、他方端には弁棒１６を操作して弁の開閉を行うためのハンドル１７が取り付けられている。
【０００５】
また、弁棒１６のシール性を保つためのグランドパッキン１８がパッキン箱１５に設けられ、このグランドパッキン１８はグランド押さえ２０で押圧され、弁棒１６のシール性を保つようにしている。グランド押さえ２０はパッキン箱１５の上部のヨーク２３に設けられたアイボルト２１にナット２２で締め付けられてパッキン箱１５に固定される。これにより、グランド押さえ２０は、アイボルト２１及びナット２２により押圧される。この場合の荷重はヨーク２３にかかることになる。
【０００６】
また、パッキン箱１５の上部に設けられたヨーク２３は、パッキン箱１５から突出した弁棒１６を保持するものであり、突出した弁棒１６に形成された雄ねじとヨーク２３の雌ねじとが螺合して弁棒１６を保持する。すなわち、ハンドル１７を弁の閉方向に操作したときは、弁棒１６には先端部の弁体１２から上方に圧力が加わる。その弁棒１６に加わる圧力は、弁棒１６の雄ねじとヨーク２３の雌ねじとの螺合にてヨーク２３にかかる。
【０００７】
このようなＬＮＧ設備で使用されているヨーク式弁１１は、設計にあった仕様の製品を取り付けているため、現在までに外観や機能等に特別の不具合は発生していない。
【０００８】
ここで、ヨーク式弁としては、グランドパッキンの交換を可能にするために、パッキン押さえを弁棒から取り外せるように複数部分に分割した構造にしたものがある（例えば、特許文献１参照）。また、バルブ補修治具として、ヨーク式弁の弁棒に溝を有しない開閉バルブの修理を多大な労力と時間をかけずに行うことができるようにしたものがある（例えば、特許文献２参照）。これは、開閉バルブの操作部を内側に囲むようにして開閉バルブに支持本体を取り付け、これに取り付けられて開閉バルブの弁棒と同軸上に配置された第１軸部材を弁棒の先端部に当接して弁棒の移動を規制し、弁棒に嵌合しているパッキン押えの側面に第２軸部材を当接してパッキン押えの移動を規制し、パッキン押えから延びる弁棒に取り付けられてパッキン押えと当接してパッキン押えの移動を規制し、パッキン押えから延びる弁棒に取り付けた板部材を支持本体を介して開閉バルブに固定して弁棒の移動を規制し、これにより、開閉バルブのヨークを取り替えて修理するものである。
【０００９】
最近になってヨーク式弁１１のヨーク２３に経年劣化や配管内の局部的な圧力上昇等による割れや腐食による減肉が発生する事象が発生していることが判明した。ヨーク２３の割れや減肉が発生していると弁棒の保持ができなくなり閉止操作が困難になり、ヨーク２３のアイボルト２１を取り付ける部分の割れが進行すると、ヨーク式弁１１のグランド押さえ２０が脱落することが考えられる。グランド押さえ２０が脱落すると、最終的にはグランドパッキン１８よりＬＮＧが漏れ出す危険性があるので早期の対策が必要である。
【００１０】
この場合、特許文献２のバルブ修理治具を用いてヨークの取り替えをすることも可能であるが、ＬＮＧ設備の配管の周囲の状況、例えば配管を流れる流体の条件によっては修理作業が限定される場合がある。ヨーク式弁１１の部品やそのもの自体の取り替えを行うには、ヨーク式弁の配置箇所によっては、ＬＮＧ設備自体を停止しなければならない事態となる。
【００１１】
そこで、出願人は、修理が困難な箇所においてもヨーク式弁のヨークやグランド押さえを補強できる弁補強器具及び方法を開発し、特願２００７−２８５３６５号として出願した。これは、ヨークより弁体側のパイプにベースプレートを取り付け、弁棒の雄ねじと螺合する雌ねじを有した弁棒を保持する弁棒押さえをヨークのハンドル側に配置し、ヨークを跨いで弁棒押さえをベースプレートに通しボルトで固定するとともに、グランド押さえを跨いでグランド押さえ保持部をベースプレートに垂直ボルトで固定するものである。
【００１２】
これにより、弁棒の荷重はベースプレートに固定された弁棒押さえで保持し、ヨークに荷重をかけることがなく、しかも、弁棒は弁棒押さえとねじで螺合しているので、弁の開閉のハンドル操作を行うこともでき、ヨーク式弁の機能を損なうことなくヨークの補強ができるものである。
【特許文献１】特開平７−２４８０６５号公報
【特許文献２】特開２００５−２８８６５６号公報
【発明の開示】
【発明が解決しようとする課題】
【００１３】
しかし、ハンドルと弁箱との間が短いショートネックのヨーク式弁の場合には、パイプ部分がないので弁補強器具のベースプレートを取り付ける場所がなく、弁補強器具を装着することができない。また、ヨーク式弁のヨークやグランド押さえを補強した際に、弁の開閉操作を円滑に行えるようにするには、弁の開閉操作に伴う捻り剛性を確保する必要がある。
【００１４】
また、出願人による先の出願では、弁棒の雄ねじと螺合する雌ねじを有した弁棒押さえを設けて弁棒を保持するので、ヨークが破断していない状態では、弁棒押さえによる弁棒の保持力と、ヨークによる弁棒の保持力とが干渉することがあり、円滑に弁開閉のハンドル操作を行えない場合がある。
【００１５】
本発明の目的は、ハンドルと弁箱との間が短いショートネックのヨーク式弁のヨークやグランド押さえを補強でき、しかも弁の開閉操作を円滑に行える弁補強器具を提供することである。
【課題を解決するための手段】
【００１６】
請求項１の発明に係わる弁補強器具は、弁体を収納した弁箱から突出した弁棒のシール性を保つためのグランドパッキンを押さえるグランド押さえを通して、突出した弁棒の雄ねじとヨークに取り付けられたスリーブの雌ねじとが螺合して前記弁棒を保持し、前記ヨークを挟んで前記弁体と反対側のハンドルで前記スリーブを回動させて前記弁棒を操作するヨーク式弁に設けられ、前記弁箱に蓋を取り付けるためのボルトに締結されたピラーボルトと、前記グランド押さえの上部に設けられ前記グランド押さえを保持するグランド押さえ保持部と、前記ピラーボルト間を橋絡し前記グランド押さえ保持部を押圧して前記ピラーボルトにナットで固定されるグランド押さえフランジと、前記ヨークに取り付けられたスリーブを把持するアダプタ部と、前記アダプタ部を挟持し前記ピラーボルトにナットで固定されるベース部と、
を備えたことを特徴とする。
【００１７】
請求項２の発明に係わる弁補強器具は、弁体を収納した弁箱から突出した弁棒のシール性を保つためのグランドパッキンを押さえるグランド押さえを通して、突出した弁棒の雄ねじとヨークに取り付けられたスリーブの雌ねじとが螺合して前記弁棒を保持し、前記ヨークを挟んで前記弁体と反対側のハンドルで前記スリーブを回動させて前記弁棒を操作するヨーク式弁に設けられ、前記弁箱に蓋を取り付けるためのボルトに締結されたピラーボルトと、前記グランド押さえの上部に設けられ前記グランド押さえを保持するグランド押さえ保持部と、前記ピラーボルト間を橋絡し前記グランド押さえ保持部を押圧して前記ピラーボルトにナットで固定されるグランド押さえフランジと、前記ヨークに取り付けられたスリーブを把持するアダプタ部と、前記アダプタ部を挟持し前記ピラーボルトにナットで固定されるベース部と、前記アダプタ部に連結され前記ハンドルまでの操作軸を延長するための延長軸とを備えたことを特徴とする。
【発明の効果】
【００１８】
本発明によれば、弁箱に蓋を取り付けるためのボルトにピラーボルトを締結し、ピラーボルト間にグランド押さえフランジを橋絡し、グランド押さえを上部からグランド押さえ保持部で押圧して固定するのでグランド押さえを補強できる。また、ピラーボルトにベース部をナットで固定してアダプタ部を挟持し、アダプタ部でヨークに取り付けられたスリーブを把持するのでヨークを補強できる。従って、ショートネックのヨーク式弁においてもヨークやグランド押さえを補強できる。
【００１９】
また、弁棒を保持するスリーブはヨーク及びベース部のアダプタ部の双方で把持されるので、アダプタ部による弁棒の保持力と、ヨークによる弁棒の保持力とが干渉することがなく、円滑に弁開閉のハンドル操作を行える。また、アダプタ部に延長軸を連結した場合には、ハンドルまでの操作軸を延長することができ、弁棒が短い場合であっても、弁棒補強器具と弁のハンドルとが干渉することを防止できる。
【発明を実施するための最良の形態】
【００２０】
図１は本発明の第１の実施の形態に係わる弁補強器具の構成図であり、図１（ａ）はショートネックのヨーク式弁に適用した場合の弁補強器具の正面図、図１（ｂ）は図１（ａ）のＡ−Ａ線での断面図である。図１（ｂ）ではヨーク２３の部分を断面とし手前側のヨーク２３の図示を省略している。
【００２１】
図１（ａ）、（ｂ）において、弁箱１３から蓋１４を介して弁棒１６が引き出され、弁棒１６はヨーク２３に取り付けられたスリーブ２５で保持される。そして、スリーブ２５には弁の開閉を行うためのハンドル１７が取り付けられている。ハンドル１７はスリーブ２５の上部に形成されたねじ部にナット４０を螺合して取り付けられる。スリーブ２５は内面に雌ねじを有し、この雌ねじが弁棒１６の雄ねじと螺合して、ハンドル１７により弁の開閉操作が行われたときにスリーブ２５が回動し弁棒１６を駆動する。
【００２２】
次に、弁棒１６のシール性を保つためのグランドパッキン１８はグランド押さえ２０で押圧され、弁棒１６のシール性を保つようにしている。グランド押さえ２０はヨーク２３に設けられたアイボルト２１にナット２２で締め付けられて固定される。これにより、グランド押さえ２０は、アイボルト２１及びナット２２により押圧される。この場合の荷重はヨーク２３にかかることになる。
【００２３】
また、弁箱１３の蓋１４にはピラーボルト２４が立設されている。ピラーボルト２４は袋ナット部２４ａを有し、弁箱１３に蓋１４を取り付けるためのボルトのナットを外して、袋ナット部２４ａを蓋１４の取付ボルトに締結してピラーボルト２４を立設する。そして、このピラーボルト２４にグランド押さえ保持部２６をナット３２で取り付け、グランド押さえ２０の上部からグランド押さえ２０を押圧する。この場合の荷重はグランド押さえ保持部２６を保持するピラーボルト２４にかかることになる。従って、グランド押さえ２０にかかる荷重をヨーク２３とグランド押さえ保持部２６とで分担し、ヨーク２３が破断したときはグランド押さえ保持部２６でグランド押さえ２０にかかる荷重を支えることになる。
【００２４】
ピラーボルト２４にはグランド押さえ保持部２６に加えて、弁棒１６を保持するためのベース部２７が設けられている。ベース部２７は上部カバー２８と下部カバー２９とからなり、上部カバー２８と下部カバー２９とでアダプタ部３０を挟持し、アダプタ部３０でヨーク２３に取り付けられたスリーブ２５を把持して、ピラーボルト２４にナット３６で固定される。従って、ヨーク２３が破断していないときはヨーク２３及びベース部２７の双方で弁棒１６を保持し、ヨーク２３が破断したときはベース部２７で弁棒１６を保持することになる。
【００２５】
図２は図１（ｂ）のＢ−Ｂ線での平面図、図３はグランド押さえフランジ３１及びグランド押さえ保持部２６の平面図であり、図３（ａ）はグランド押さえフランジ３１の平面図、図３（ｂ）はグランド押さえ保持部２６の平面図である。グランド押さえ保持部２６は、図３（ｂ）に示すように、２つのグランド押さえ保持部片２６ａ、２６ｂからなり、この２つのグランド押さえ保持部片２６ａ、２６ｂは、対面して接合されたときに、弁棒１６及びグランド押さえ２０の締付ナット２２に干渉しないように間隔を保って取付ボルト３３で取り付けられる。また、グランド押さえフランジ３１は、ピラーボルト２４間を橋絡して、グランド押さえ保持部２６を押圧するように、ピラーボルト２４にナット３２で固定するのであり、図２に示すように、グランド押さえ２０の上部に配置されたグランド押さえ保持部を２６を保持する。
【００２６】
図４は図１（ｂ）のＣ−Ｃ線での断面図、図５はベース２７の上部カバー２８の構成図であり、図５（ａ）は平面図、図５（ｂ）は断面図、図６はアダプタ部３０の構成図であり、図６（ａ）は平面図、図６（ｂ）は断面図、図７はベース２７の下部カバー２９の構成図であり、図７（ａ）は平面図、図７（ｂ）は断面図である。
【００２７】
図４に示すように、スリーブ２５は六角軸に形成され、そのスリーブ２５を把持したアダプタ部３０は、ベース部２７の上部カバー２８と下部カバー２９とで挟持され、上部カバー２８及び下部カバーはピラーボルト２４に取り付けられている。図５に示すように、ベース部２７の上部カバー２８は開口部３４を有し、その開口部３４には段差部３４ａが形成され、同様に、ベース部２７の下部カバー２９は、図７に示すように、開口部３５を有し、その開口部３５には段差部３５ａが形成されている。また、アダプタ部３０は、図６に示すように、周囲にフランジ部３０ａを有し、断面が凸状に形成されている。
【００２８】
アダプタ部３０は、そのフランジ部３０ａが上部カバー２８の開口部３４の段差部３４ａ及び下部カバー２９の開口部３５の段差部３５ａに係止するように、上部カバー２８及び下部カバー２９で挟持される。
【００２９】
このように、第１の実施の形態では、弁箱１３に蓋１４を取り付けるためのボルトに、袋ナット２４ａを有したピラーボルト２４を締結し、ピラーボルト２４間にグランド押さえフランジ３１を橋絡してグランド押さえ保持部２６を保持する。また、ピラーボルト２４にベース部２７をナット３６で固定してアダプタ部３０を挟持し、アダプタ部３０でヨーク２３に取り付けられたスリーブ２５を把持する。ハンドル１７により弁の開閉操作を行った際のスリーブ２５の回動は、ヨーク２３及びベース部２７の双方により支持される。従って、ピラーボルト２４によりヨーク２３及びグランド押さえ２０の補強ができる。
【００３０】
本発明の第１の実施の形態によれば、ピラーボルト２４に保持されたグランド押さえ保持部２６でグランド押さえ２０を上部から押圧してグランド押さえ２０を固定するので、ピラーボルト２４によりグランド押さえ２０を補強できる。また、ピラーボルト２４にベース部２７をナット３６で固定してアダプタ部３０を挟持し、アダプタ部３０でヨーク２３に取り付けられたスリーブ２５を把持するので、ピラーボルト２４によりヨーク２３を補強できる。従って、ショートネックのヨーク式弁においてもヨーク２３やグランド押さえ２０を補強できる。
【００３１】
また、弁棒１６を保持するスリーブ２５はヨーク２３及びベース部２７のアダプタ部３０の双方で把持されるので、アダプタ部３０による弁棒１６の保持力と、ヨーク２３による弁棒１６の保持力とが干渉することがなく、円滑に弁開閉のハンドル操作を行える。
【００３２】
図８は本発明の第２の実施の形態に係わる弁補強器具の構成図であり、図８（ａ）はショートネックのヨーク式弁に適用した場合の弁補強器具の正面図、図８（ｂ）は図８（ａ）のＡ−Ａ線での断面図、図８（ｃ）は図８（ｂ）のＣ−Ｃ線での断面図である。図８（ｂ）ではヨーク２３の部分を断面とし手前側のヨーク２３の図示を省略している。
【００３３】
この第２の実施の形態は、図１に示した第１の実施の形態に対し、ハンドル１７までの操作軸を延長するための延長軸３７をアダプタ部３０に連結したものである。図１に示した第１の実施の形態と同一要素には同一符号を付し重複する説明は省略する。
【００３４】
図８（ａ）、（ｂ）に示すように、弁箱１３に蓋１４を取り付けるためのボルトに、袋ナット２４ａを有したピラーボルト２４を締結し、ピラーボルト２４にブランド押さえ２０を押圧するためのグランド押さえ保持部２６を保持するとともに、ピラーボルト２４にベース部２７をナット３６で固定してアダプタ部３０を挟持し、アダプタ部３０でヨーク２３に取り付けられたスリーブ２５を把持する。これにより、ヨーク２３及びグランド押さえ２０の補強を行っている。
【００３５】
すなわち、ブランド押さえ２０はヨーク２３のアイボルト２１及びピラーボルト２４に取り付けられたグランド押さえ保持部２６の双方で保持され、また、ハンドル１７により弁の開閉操作を行った際の弁棒１６の駆動の荷重を受けるスリーブ２５は、ヨーク２３及びベース部２７の双方により保持される。
【００３６】
延長軸３７の一方端は、ベース部２７の上部カバー２８及び下部カバー２９で挟持されるアダプタ部３０に連結され、他方端はハンドル１７に固定される。図８（ｃ）に示すように、ベース部２７の上部カバー２８で保持されているアダプタ部３０の上面には、延長軸３７の取付ボルト３８をねじ込むためのねじ孔３９が設けられている。
【００３７】
図９は延長軸３７の構成図である。延長軸３７は内部が空洞になっており、この空洞部にアダプタ部３０のスリーブ２５から突出した弁棒１６が挿入される。そして、延長軸３７のフランジ部３７ａに取付ボルト３８が装着され、アダプタ部３０のねじ孔３９に螺合して、延長軸３７はアダプタ部３０に連結される。
【００３８】
従って、ハンドル１７を回動させたときはアダプタ部３０が回動し、アダプタ部３０の回動によりスリーブ２５が回動し、スリーブ２５の内面の雌ねじと弁棒１６の外周面の雄ねじとの螺合により、弁棒１６を駆動することになる。
【００３９】
第２の実施の形態によれば、第１の実施の形態の効果に加え、アダプタ部３０に延長軸３７を連結するので、ハンドル１７までの操作軸を延長することができ、スリーブ２５が短い場合であっても、弁棒補強器具と弁のハンドルとが干渉することを防止できる。
【図面の簡単な説明】
【００４０】
【図１】本発明の第１の実施の形態に係わる弁補強器具の構成図。
【図２】図１（ｂ）のＢ−Ｂ線での平面図。
【図３】本発明の第１の実施の形態におけるグランド押さえフランジ及びグランド押さえ保持部の平面図。
【図４】図１（ｂ）のＣ−Ｃ線での断面図。
【図５】本発明の第１の実施の形態におけるベースの上部カバーの構成図。
【図６】本発明の第１の実施の形態におけるアダプタ部の構成図。
【図７】本発明の第１の実施の形態におけるベースの下部カバーの構成図。
【図８】本発明の第２の実施の形態に係わる弁補強器具の構成図。
【図９】本発明の第２の実施の形態における延長軸の構成図。
【図１０】ショートネックのヨーク式弁の一例の正面図。
【図１１】図１０のＡ−Ａ線での断面図。
【符号の説明】
【００４１】
１１…ヨーク式弁、１２…弁体、１３…弁箱、１４…蓋、１５…パッキン箱、１６…弁棒、１７…ハンドル、１８…グランドパッキン、２０…グランド押さえ、２１…アイボルト、２２…ナット、２３…ヨーク、２４…ピラーボルト、２５…スリーブ、２６…グランド押さえ保持部、２７…ベース部、２８…上部カバー、２９…下部カバー、３０…アダプタ部、３１…グランド押さえフランジ、３２…ナット、３３…取付ボルト、３４…開口部、３４ａ…段差部、３５…開口部、３５ａ…段差部、３６…ナット、３７…延長軸、３７ａ…フランジ部、３８…取付ボルト、３９…ねじ孔、４０…ナット
【図１】
2010019336.tif 000003
【図２】
2010019336.tif 000004
【図３】
2010019336.tif 000005
【図４】
2010019336.tif 000006
【図５】
2010019336.tif 000007
【図６】
2010019336.tif 000008
【図７】
2010019336.tif 000009
【図８】
2010019336.tif 000010
【図９】
2010019336.tif 000011
【図１０】
2010019336.tif 000012
【図１１】
2010019336.tif 000013